(57)【要約】【課題】回転する吸水管により吸い上げられた水が複数の突起に衝突することでレナード現象が生じ負イオンを発生させる負イオン発生装置において、水の衝突時の騒音を低減することを目的とする。【解決手段】回転により吸引した水を吐出口より周囲に飛散させる吸水管と、前記吸水管の吐出口を囲むように複数の衝突体を立設した吸水管カバーとを設け、吸水管から吐出する水が衝突体に衝突する側面に湾曲部を形成し、また衝突体の内部に空洞を設けたことにより、水の衝突時の衝撃力を吸収し騒音の発生を抑えることができる負イオン発生装置が得られる。【選択図】　図１
2004024968.tif 000002
【特許請求の範囲】
【請求項１】
本体内部に設けた貯水槽と、この貯水槽の水に下端を挿入して回転により吸引した水を吐出口より周囲に飛散させる吸水管と、前記吸水管の吐出口を囲むように複数の衝突体を立設した吸水管カバーと、この吸水管カバーに水が衝突して発生する負イオンを搬送する送風ファンを有し、前記衝突体の水が衝突する側面に湾曲部を形成してなる負イオン発生装置。
【請求項２】
吸水管カバーの材質を軟質合成樹脂とした請求項１記載の負イオン発生装置。
【請求項３】
衝突体の内部に空洞を設けてなる請求項１または２記載の負イオン発生装置。
【請求項４】
吸水管を回転するモーターと、このモーターを本体に保持する保持板と、この保持板に着脱可能に設けた吸水管カバーを有し、前記吸水管カバーを一部切り欠いて前記吸水管の先端逃がし用の切り欠き開口部を設け、この切り欠き開口部に面する衝突板を、前記保持板に一体に形成してなる負イオン発生装置。
【発明の詳細な説明】
【０００１】
【発明の属する技術分野】
本発明は、回転する吸水管により吸い上げられた水を複数の突起に衝突させて負イオンを発生する負イオン発生装置に関する。
【０００２】
【従来の技術】
従来、この種の負イオン発生装置は下記のような構成のものが一般的であった。以下、その負イオン発生装置について、図５〜図７を参照しながら説明する。
【０００３】
図に示すように、本体１０１の下方側面に吸気口１０２、天面に吹出口１０３を設けている。本体１０１内には、モーター１０４を保持しているモーターベース１０５と、モーター１０４に取りつけられた送風ファン１０６、気水分離機１１０およびテーパー形状の吸水管１０７を収納し、吸水管１０７の下方に貯水槽１０８を設けている。吸水管１０７の上部には水を遠心力で放散する吐出口１０７ｂを設け、吸水管カバー１０９に設けた複数の衝突体１０９ａは吐出口１０７ｂに面して等間隔に配置されている。なお、気水分離機１１０は有孔円板を回転するものであり、大粒の水滴を除去し、マイナスイオンを含む微細化水滴を通過させている。
【０００４】
上記構成において、モーター１０４を駆動することによりモーター１０４に取りつけられた送風ファン１０６、気水分離手段１１０および吸水管１０７が回転し、吸水口１０７ａで貯水槽１０８に溜めている水を吸い上げ、上部の吐出口１０７ｂから円周の接線方向に水を飛散させ、吸水管カバー１０９の衝突体１０９ａに衝突してレナード効果により負イオンおよび大小の水滴が発生する。この発生した負イオンおよび大小の水滴は通風路１１１途中に設けられた気水分離機１１０で大粒の水滴が分離され、負イオンを含む微細化された水滴のみが通過し、送風ファン１０６により吹出口１０３より送り出されるものである。
【０００５】
【発明が解決しようとする課題】
このような従来の負イオン発生装置では、貯水槽に溜まった水を吸水管で吸い上げ、遠心力で飛散される水滴を衝突体に当てることにより、レナード現象が生じて負イオンが発生するが、この衝突時に騒音が発生するという課題があり、騒音を低く抑えて負イオンを発生させることが要求されている。
【０００６】
また、吸水管カバーは水道水の水垢などが付着したときは掃除する必要があるが、吸水管の周囲に配置され、吸水管の先端が着脱作業の障害になるという課題があり、清掃時に容易に吸水管カバーを取り外しできることが要求されている。
【０００７】
本発明は、このような従来の課題を解決するものであり、吸水管カバーの衝突体で発生する水の衝突音を低減でき、また、吸水管カバーの取り外しが容易な負イオン発生装置を提供することを目的としている。
【０００８】
【課題を解決するための手段】
本発明の負イオン発生装置は上記目的を達成するために、本体内部に設けた貯水槽と、この貯水槽の水に下端を挿入して回転により吸引した水を吐出口より周囲に飛散させる吸水管と、前記吸水管の吐出口を囲むように複数の衝突体を立設した吸水管カバーと、この吸水管カバーに水が衝突して発生する負イオンを搬送する送風ファンを有し、前記衝突体の水が衝突する側面に湾曲部を形成したものである。
【０００９】
また、他の手段は、吸水管カバーの材質を軟質合成樹脂としたものである。
【００１０】
また、他の手段は、衝突体の内部に空洞を設けたものである。
【００１１】
本発明によれば、吸水管カバーの衝突体で発生する水の衝突音を低減することができる負イオン発生装置が得られる。
【００１２】
また、他の手段は、吸水管を回転するモーターと、このモーターを本体に保持する保持板と、この保持板に着脱可能に設けた吸水管カバーを有し、前記吸水管カバーを一部切り欠いて吸水管の先端逃がし用の切り欠き開口部を設け、この切り欠き開口部に面する衝突板を、前記保持板に一体に形成したものである。
【００１３】
本発明によれば、清掃時に吸水管カバーの取り外しが容易な負イオン発生装置が得られる。
【００１４】
【発明の実施の形態】
本発明は、本体内部に設けた貯水槽と、この貯水槽の水に下端を挿入して回転により吸引した水を吐出口より周囲に飛散させる吸水管と、前記吸水管の吐出口を囲むように複数の衝突体を立設した吸水管カバーと、この吸水管カバーに水が衝突して発生する負イオンを搬送する送風ファンを有し、前記衝突体の水が衝突する側面に湾曲部を形成したものであり、衝突体の湾曲面に吸水管から飛散した水を集めて衝突させ、さらに反射方向も大きく変えることで、１つの衝突体当りのマイナスイオン発生量を増やすことができ、また、衝突体の絶対数が少なくなることにより、騒音値を低減できるという作用を有する。
【００１５】
また、吸水管カバーの材質を軟質合成樹脂としたものであり、飛散水の衝撃に対して衝突体の弾力性により衝撃力を弱め、衝突体の表面で発生する騒音を抑制できるという作用を有する。
【００１６】
また、衝突体の内部に空洞を設けたものであり、衝突体の内部に空洞があることにより、衝突する水の衝撃に対して衝突体の側面が変形しやすくなり、衝撃力を吸収して騒音の発生を抑制するという作用を有する。
【００１７】
また、吸水管を回転するモーターと、このモーターを本体に保持する保持板と、この保持板に着脱可能に設けた吸水管カバーを有し、前記吸水管カバーを一部切り欠いて吸水管の先端逃がし用の切り欠き開口部を設け、この切り欠き開口部に面する衝突板を、前記保持板に一体に形成したものであり、吸水管カバーを保持板に着脱時、吸水管の先端に当らないよう吸水管カバーに設けた切り欠き開口部を通して、吸水管カバーの移動が容易に行なえ、着脱作業が楽にできるとともに、切り欠き開口部に直面して、保持板に一体に形成した衝突板が存在しているので、吸水管から飛散する水は切り欠き開口部を通過しても、衝突板に衝突するため負イオン発生量を減少させず、また飛散水が外に漏れ出ることがないという作用を有する。
【００１８】
以上本発明の実施例について図面を参照しながら説明する。
【００１９】
【実施例】
（実施例１）
図１〜図３に示すように、本体１の前面に吸込口２を設け、本体１の上端面に吹出口３を設けている。本体１の内部にモーター４を支持するモーターベース５を設け、モーター４は下向きのシャフト軸に中空円錐形状の吸水管６を、上向きのシャフト軸に有孔円板状の気水分離機７を取りつけ、モーター４の上部にはモーターカバー１２を設けている。また、本体１上部の第２のモーター８に送風ファン９を取りつけている。本体１の下部には貯水層１０が設けられ、着脱可能な給水タンク１１により給水されて一定水位に保たれ、吸水管６の先端は貯水槽１０の水中に挿入されている。
【００２０】
本体１内の通風路１３は、図２に示すように吸込口２を入口として吸水管６の周囲および送風ファン９を通り、吹出口３に至るまで連通している。
【００２１】
また、吸水管６の上部外周には、吸水口６ａからの吸水を吐出する吐出口６ｂを全周に形成し、この吐出口６ｂを包囲するように吸水管カバー１４が取りつけられ、吸水管カバー１４には本実施例では５６本の衝突体１５が円環状に等間隔で配置されている。衝突体１５は水の衝突する側面に湾曲部１５ａを形成し後部の厚み巾が太くなっている。吸水管６の吐出口６ｂから吐出された水が衝突体１５に高速で衝突すると、大小の水滴に分裂するときに、レナード効果により微細な水粒子と負イオンを生成する。さらに気水分離機７を通るときに、大粒の水滴が取り除かれ、負イオンを含む微細な水粒子が送風ファン９により吹出口３から吹き出されるようになっている。
【００２２】
上記構成において、まずモーター４を駆動するとシャフト軸に嵌合した吸水管６が回転し、その遠心力により貯水槽１０の水が吸水管６の吸水口６ａに吸引されて吸水管６内を上昇し、吸水管６の吐出口６ｂから円周方向に飛び散り、吸水管カバー１４に設けた衝突体１５に衝突することにより、レナード効果により負イオンを与えられた微細な水粒子が生成される。このとき、第２のモーター８の駆動により送風ファン９が回転して負イオンを含む微細な水粒子が、通風路１３を通して吹出口３から室内に吹き出されることとなる。また、衝突体１５で微細化されなかった比較的大きな水粒子は回転する気水分離機の遠心力作用で分離され、吸水管カバー１４の外壁１４ｂ内面を伝わって貯水槽１０に戻ることとなる。
【００２３】
ここで、吸水管カバー１４の衝突体１５は、水が衝突する側面に湾曲部１６を形成し、厚み寸法も大となり衝突体１５の本数は従来より減少するが、図３に示すように個々の衝突体１５は湾曲部１６に水を導入して集中させるとともに、水の進行方向を大きく変えるように衝突させることができるので、一つの衝突体１５における負イオンの発生量を増やすことができる。また衝突体１５の本数が減少することにより、水衝突時の騒音値を低減することができる。したがって、負イオン発生量はトータルでは確保しつつ、衝突体の本数を減らすことにより騒音値を低減することができるものである。ここで実測値により比較すると、従来の７６本の薄板状衝突体１０９ａを５６本の衝突体１５としたことにより、負イオン発生量は従来と同等であるが、従来に比べて約１．５ｄＢの騒音低減が得られた。
【００２４】
なお、本実施例では、衝突体１５の後方部の厚み寸法を大としたが、図１（ニ）に示すように、湾曲部に沿う形状として厚み寸法を略同一としてもよい。
【００２５】
また、衝突体１５の材質として従来の硬度のあるポリスチレン樹脂から変更して軟質合成樹脂のポリプロピレン樹脂を使用することにより、水の衝突時のエネルギーを吸収し、騒音の発生を抑制することができる。このように軟質合成樹脂を衝突体に採用することにより、実測値で比較すると従来より約１．５ｄＢの騒音を低減できる結果が得られた。
【００２６】
なお、本実施例では、軟質合成樹脂をポリプロピレンとしたが、ニトリルブチレンゴムのように、同様の硬度を有する合成樹脂であれば、同一効果を奏するものである。
【００２７】
また、図１（ハ）に示すように、衝突体１５の内部に空洞１７を設け、空洞１７の一方は閉じ他方は開く構造としている。これにより、衝突体１５に水が衝突する衝撃を空洞の空気層が緩衝してやわらげることにより、消音効果を持たせ、騒音値を低減することができるものである。
【００２８】
（実施例２）
図１（イ）、図２および図４に示すように、モーター４およびモーターカバー１２は保持板５上方に取り付けられ、保持板５は下方に衝突板５ａを一体に垂設している。モーター４の下方回転軸に固定された吸水管６は、吐出口６ｂの周囲を着脱可能な吸水管カバー１４で覆われ、この吸水管カバー１４は保持板５に設けられたツメ５ｂに引っ掛けられて固定されており、着脱時に吸水管６の先端が当らないよう逃がし部分として、切り欠き開口部１４ｃを形成している。
【００２９】
上記構成において、保持板５に取り付けられた吸水管カバー１４を外すときは、まず吸水管カバー１４を左方向に回転させることによりツメ１４ｄが保持板５から外れて下方向に分離できる。次に吸水管カバー１４の切り欠き開口部１４ｃが吸水管６の下方を通過するように水平移動することにより、吸水管カバー１４が取り外しできるので、吸水管６を取り外す手間が不用となり、清掃時などの作業性の向上を図ることができる。
【００３０】
また、本体運転時は、吸水管カバー１４の切り欠き開口部１４ｃは、保持板５の衝突板５ａにより覆われて開口部分が塞がれるように設けられており、吸水管６から飛散する水を衝突板５ａに衝突させて負イオン発生量を減少させないとともに、飛散水が切り欠き開口部１４ｃから周囲に漏れるのを防ぐことができる。
【００３１】
【発明の効果】
以上の実施例から明らかなように、本体内部に設けた貯水槽と、この貯水槽の水に下端を挿入して回転により吸引した水を吐出口より周囲に飛散させる吸水管と、前記吸水管の吐出口を囲むように複数の衝突体を立設した吸水管カバーと、この吸水管カバーに水が衝突して発生する負イオンを搬送する送風ファンを有し、前記衝突体の水が衝突する側面に湾曲部を形成したことにより、負イオン発生量を低減することなく本体の騒音値を低減できるという効果のある負イオン発生装置を提供できる。
【００３２】
また、吸水管カバーの材質を軟質合成樹脂としたことにより、弾性力により衝撃を弱め、水衝突による騒音値を低減できるという効果のある負イオン発生装置を提供できる。
【００３３】
また、衝突体の内部に空洞を設けたことにより、衝突体側面への水衝突時の衝撃をやわらげることができ、騒音を低減する効果のある負イオン発生装置を提供できる。
【００３４】
また、吸水管を回転するモーターと、このモーターを本体に保持する保持板と、この保持板に着脱可能に設けた吸水管カバーを有し、前記吸水管カバーを一部切り欠いて吸水管の先端逃がし用の切り欠き開口部を設け、この切り欠き開口部に面する衝突板を、前記保持板に一体に形成したことにより、負イオン発生量を低減することなく吸水管カバーの脱着性を向上させるという効果のある負イオン発生装置を提供できる。
【図面の簡単な説明】
【図１】（イ）本発明の実施例１〜４の負イオン発生装置の吸水管カバーの外観斜視図
（ロ）同衝突体の外観斜視図
（ハ）同衝突体の下部外観斜視図
（ニ）同他の衝突体の外観斜視図
【図２】（イ）同実施例の本体の断面正面図
（ロ）同実施例１〜３の吸水管と衝突体の関係を示す断面図
【図３】同実施例１〜３の吸水管と衝突体の関係を示す概略平面図
【図４】同実施例４の吸水管カバーの着脱過程を示す外観斜視図
【図５】従来の負イオン発生装置の断面正面図
【図６】（イ）従来の吸水管カバーの外観斜視図
（ロ）同衝突体の外観斜視図
【図７】同吸水管と衝突体の関係を示す概略平面図
【符号の説明】
１　　　　　　　本体
４　　　　　　　モーター
５　　　　　　　保持板
６　　　　　　　吸水管
６ｂ　　　　　吐出口
９　　　　　　　送風ファン
１０　　　　　貯水槽
１４　　　　　吸水管カバー
１４ｃ　　切り欠き開口部
１５　　　衝突体
１６　　　湾曲部
１７　　　空洞
【図１】
2004024968.tif 000003
【図２】
2004024968.tif 000004
【図３】
2004024968.tif 000005
【図４】
2004024968.tif 000006
【図５】
2004024968.tif 000007
【図６】
2004024968.tif 000008
【図７】
2004024968.tif 000009